(57)【要約】【課題】オフィス内に設置して違和感がなくしかも体裁よく収納することができ、更には収納しておくワゴン等の数に増減があった場合でも、その数に対応して収納空間の拡縮が容易にできる格納用家具を提供せんとする。【解決手段】少なくとも三枚、図示したものでは五枚の間仕切パネル２、・・・を左右横方向に連結し、両端に位置する各間仕切パネル２の前面に、当該間仕切パネル２と略同一幅のキャビネット３をそれぞれ着脱可能に連結し、これら両端のキャビネット３、３間に収納空間Ｓを形成した。【選択図】          図１
2004173738.tif 000002
【特許請求の範囲】
【請求項１】
少なくとも三枚の間仕切パネルを左右方向に連結し、両端に位置する各間仕切パネルの前面に、当該間仕切と略同一幅のキャビネットをそれぞれ着脱可能に連結し、これら両端のキャビネット間に収納空間を形成してなり、該空間にワゴン、カート等の移動式家具を格納可能に構成したことを特徴とする移動式家具の格納用家具。
【請求項２】
少なくとも三枚の間仕切パネルを左右方向に連結し、両端に位置する各間仕切パネルの前面及び後面に、当該間仕切と略同一幅のキャビネットを、それぞれ着脱可能に連結又は当該間仕切パネルを背面間で挾持するように前後に配置し、前側及び後側における両端のキャビネット間にそれぞれ収納空間を形成してなり、該空間にワゴン、カート等の移動式家具を格納可能に構成したことを特徴とする移動式家具の格納用家具。
【請求項３】
少なくとも二枚の間仕切パネルを左右方向に連結し、一端に位置する間仕切パネルの前面に、当該間仕切と略同一幅のキャビネットを着脱可能に連結し、且つ、他端に位置する間仕切パネルの側端部に、エンド間仕切パネルを当該間仕切パネルと直交して前方に突出するように連結し、これらキャビネット及びエンド間仕切パネル間に収納空間を形成してなり、該空間にワゴン、カート等の移動式家具を格納可能に構成したことを特徴とする移動式家具の格納用家具。
【請求項４】
少なくとも二枚の間仕切パネルを左右方向に連結し、一端に位置する間仕切パネルの前面及び後面に、当該間仕切と略同一幅のキャビネットを着脱可能に連結又は当該間仕切パネルを背面間で挾持するように前後に配置し、且つ、他端に位置する間仕切パネルの側端部に、エンド間仕切パネルを当該間仕切パネルと直交して前方及び後方に突出するように連結し、前側及び後側におけるこれらキャビネット及びエンド間仕切パネル間に収納空間を形成してなり、該空間にワゴン、カート等の移動式家具を格納可能に構成したことを特徴とする移動式家具の格納用家具。
【請求項５】
前記間仕切パネルを所定モジュールに設定してなり、前記収納空間の左右の幅を間仕切幅の整数倍とした請求項１〜４の何れか１項に記載の移動式家具の格納用家具。
【請求項６】
各間仕切パネルの両端部に、当該間仕切パネル面に棚等のオプションを取り付けるための係止孔を所定間隔を置いて複数設けた請求項１〜５の何れか１項に記載
【請求項７】
請求項１〜６の何れか１項に記載の格納用家具に前記移動式家具を格納してなる組合せ家具であって、前記収納空間を臨む間仕切パネルに、前記移動式家具の背面を固定するための係止手段を設けてなる組合せ家具。
【発明の詳細な説明】
【０００１】
【発明の属する技術分野】
本発明は、ワゴン、カート等の移動式家具を格納するための格納用家具及び移動式家具が格納された組合せ家具に関する。
【０００２】
【従来の技術】
近年、オフィスのモバイル化や効率化により、営業等のワーカーが特定の固定席を持たず、空いているデスクの席で自由に仕事を行ういわゆる「フリーアドレスタイプ」のデスクが増えている。この種のワークに対応するため、個人の物品等を予めワゴンやカート等の移動式家具に収納しておき、自分専用のワゴン等を前記フリーアドレスデスクまで持っていって仕事をすることが行われている。
【０００３】
この個人専用のワゴンやカート等をオフィス内の所定の場所に別途まとめて格納しておく格納用家具が設置されており、従来、この種の収納家具としては、格納専用に設けられた枠状の家具や、上部に物品等の収納室が設けられ、且つ、該収納室の下部に所定寸法の空間を有するように両側壁、背壁及び上壁の三方を囲まれ、正面から前記移動式家具を出し入れできる格納部を備えたキャビネットが知られている（例えば、特許文献１、２参照。）。
【０００４】
上記特許文献記載の格納用家具は、オフィス内に設置しても違和感がなく移動式家具を体裁よく収納できるものの、当該収納スペースはキャビネットとモジュールを共通にして予め決められた寸法で形成されているため、人員の増減やオフィス内のレイアウト変更などにより格納する移動式家具の数に増減があった場合には対応できないものであった。
【０００５】
【特許文献１】
特開２００１−１２８７５７号公報
【特許文献２】
特開２００１−１２８７５８号公報
【０００６】
【発明が解決しようとする課題】
そこで、本発明が前述の状況に鑑み、解決しようとするところは、オフィス内に設置して違和感がなくしかも体裁よく収納することができ、更には収納しておくワゴン等の数に増減があった場合でも、その数に対応して収納空間の拡縮が容易にできる格納用家具を提供する点にある。
【０００７】
【課題を解決するための手段】
本発明は、前述の課題解決のために、少なくとも三枚の間仕切パネルを左右方向に連結し、両端に位置する各間仕切パネルの前面に、当該間仕切と略同一幅のキャビネットをそれぞれ着脱可能に連結し、これら両端のキャビネット間に収納空間を形成してなり、該空間にワゴン、カート等の移動式家具を格納可能に構成したことを特徴とする移動式家具の格納用家具を提供する。
【０００８】
また、本発明は、少なくとも三枚の間仕切パネルを左右方向に連結し、両端に位置する各間仕切パネルの前面及び後面に、当該間仕切と略同一幅のキャビネットを、それぞれ着脱可能に連結又は当該間仕切パネルを背面間で挾持するように前後に配置し、前側及び後側における両端のキャビネット間にそれぞれ収納空間を形成してなり、該空間にワゴン、カート等の移動式家具を格納可能に構成したことを特徴とする移動式家具の格納用家具をも提供する。
【０００９】
また、本発明は、少なくとも二枚の間仕切パネルを左右方向に連結し、一端に位置する間仕切パネルの前面に、当該間仕切と略同一幅のキャビネットを着脱可能に連結し、且つ、他端に位置する間仕切パネルの側端部に、エンド間仕切パネルを当該間仕切パネルと直交して前方に突出するように連結し、これらキャビネット及びエンド間仕切パネル間に収納空間を形成してなり、該空間にワゴン、カート等の移動式家具を格納可能に構成したことを特徴とする移動式家具の格納用家具をも提供する。
【００１０】
更に、本発明は、少なくとも二枚の間仕切パネルを左右方向に連結し、一端に位置する間仕切パネルの前面及び後面に、当該間仕切と略同一幅のキャビネットを着脱可能に連結又は当該間仕切パネルを背面間で挾持するように前後に配置し、且つ、他端に位置する間仕切パネルの側端部に、エンド間仕切パネルを当該間仕切パネルと直交して前方及び後方に突出するように連結し、前側及び後側におけるこれらキャビネット及びエンド間仕切パネル間に収納空間を形成してなり、該空間にワゴン、カート等の移動式家具を格納可能に構成したことを特徴とする移動式家具の格納用家具をも提供する。
【００１１】
ここで、前記間仕切パネルを所定モジュールに設定してなり、前記収納空間の左右の幅を間仕切幅の整数倍としたものが好ましい。
【００１２】
また、各間仕切パネルの両端部に、当該間仕切パネル面に棚等のオプションを取り付けるための係止孔を所定間隔を置いて複数設けたものが好ましい。
【００１３】
本発明は、以上の格納用家具に前記移動式家具を格納してなる組合せ家具であって、前記収納空間を臨む間仕切パネルに、前記移動式家具の背面を固定するための係止手段を設けてなる組合せ家具をも提供する。
【００１４】
【発明の実施の形態】
次に、本発明の実施形態を添付図面に基づき詳細に説明する。
【００１５】
図１は、本発明に係る格納用家具と該格納用家具に格納される複数の移動式家具を示す斜視図であり、図１〜８は第１実施形態、図９は第２実施形態、図１０第３実施形態を示し、図中符号１は格納用家具、２は間仕切パネル、３はキャビネット、４は移動式家具、１０は組合せ家具をそれぞれ示している。
【００１６】
本発明の格納用家具１は、図１に示すように、少なくとも三枚、図示したものでは五枚の間仕切パネル２、・・・を左右横方向に連結し、両端に位置する各間仕切パネル２の前面に、当該間仕切パネル２と略同一幅のキャビネット３をそれぞれ着脱可能に連結し、これら両端のキャビネット３、３間に収納空間Ｓを形成したものであり、該空間Ｓにワゴン、カート等の移動式家具を違和感なく集中的に格納できるように構成されている。
【００１７】
間仕切パネル２、・・・は、互いに同一の寸法モジュールのものが用いられ、各間仕切パネル２は、左右両側の縦枠６、６間に２本以上の横枠７、・・・を梯子状に連結してフレームが構成され、該フレームにより囲まれた上下左右の枠空間にそれぞれブロックパネル８を装着して構成されている。前記縦枠６は金属の押出し加工品であり、その断面形状は略台形状であるが、その両傾斜縁は内方へ円弧状に凹んでおり、更に外側面には、図５に示すように連結溝６０が形成されている。
【００１８】
ブロックパネル８は、図６及び図８に示すように、不織布からなるピンナップボードであり、上下側端８ａ、８ａ及び左右側端には、それぞれ横枠部材８０、８０及び縦枠部材が取り付けられている。横枠部材８０は、その前端に圧縮成型されたパネル上端又は下端を全長に渡り受け入れる断面鉤形の受入部８１が設けられ、横枠７の係合溝７０に係合される爪部を先端に有した係止片８２が前記受入部８１の長手方向全長に渡り後方に突設され、左右両側端部には、縦枠部材を貫通した取付ネジを螺合するネジ孔８３が設けられている。
【００１９】
ブロックパネル８が装着されるフレームの反対側（後側）には、同じくブロックパネル８が前記ブロックパネル８と互いに背面を付き合わせて装着されている。尚、ブロックパネルは上記不織布からなるピンナップボードに何ら限定されず、通常のクロス等を用いたパネルなど、その素材や形状、厚さ、密度、透光性などの性状は問わず、欄間パネルや目隠しパネル、スクリーンを張設したものであってもよい。
【００２０】
そして、前記ブロックパネル８を支持する横枠７内には、長手方向に延びる断面円弧状のネジ溝７１が設けられ、縦枠６を貫通した取付ネジを前記ネジ溝７１にねじ込むことで、縦枠６及び横枠７が互いに連結されている。
【００２１】
間仕切パネル２同士の左右の連結は、図５に示すように、連結する各間仕切パネル２の隣接する互いの縦枠６、６の一方の連結溝６０に上方から連結具６５を抜止め状態で挿入するとともに、該連結具６５の係止部６６に他方の連結溝６０を底部から抜止め状態で挿入し、当該底部を閉じることにより双方の縦枠を底部間で連結した後、互いに縦枠６、６の外側面を重ね合わせ、アンカー部材６１を一方の縦枠６の連結溝６０内に抜止め状態で挿入するとともに、締付部材６２を他方の縦枠６の連結溝６０内に抜止め状態で挿入した状態で、該締付部材６２に斜め貫通した締付ネジ６３を前記アンカー部材６１に螺合して、両縦枠６、６を引き付けて上部間を連結するのである。
尚、本発明の間仕切パネル２はこのようなブロックパネルで構成されるものに何ら限定されず、上下左右端縁の枠体で囲まれたクロスパネルやガラスパネル、スチールパネルを用いることもできる。
【００２２】
各間仕切パネル２の両端部には、当該間仕切パネル面に棚等のオプションを取り付けるための係止孔が所定間隔をおいて複数設けられており、詳しくは、図５に示すように前記縦枠６の両側縁に沿って形成した溝内に適宜間隔をおいて複数の係止孔６４、・・・が穿設され、本例においては、図６に示すようにオプションとしての棚５が前記係止孔６４を利用して装着されている。棚５は間仕切パネルと略同一幅の棚板５０とその両側端を支持するブラケット５１より構成され、ブラケット５１後端に突設した複数の係止爪５１ａをそれぞれ前記係止孔６４に係合することで棚５が当該パネル前面に着脱自在に掛止されている。符号５２はブラケットを覆う合成樹脂製のカバーである。
【００２３】
両端に位置する間仕切パネル２へのキャビネット３の連結には、図７に示す連結ブラケット３０が用いられる。前記連結ブラケット３０は、キャビネット背面にネジ止めされる板状部材よりなり、後方に係止爪３２、３２が突設され、キャビネット内面側から背板を貫通した取付ネジ３３、３３を前記連結ブラケット３０のネジ孔３１、３１に螺合することで該ブラケットをキャビネット背面の左右側端部に固定するとともに、後方に突出した前記係止爪３２、３２を、上記ブラケット５１の係止爪５１ａと同様、縦枠６の係止孔６４、６４に係合することで、当該連結ブラケット３０を介して前記キャビネット３が当該間仕切パネル２に着脱自在に連結される。尚、作業性の観点より、取付ネジ３３が貫通するキャビネット背板の図示しない貫通孔を上下方向の長孔とし、該背板に仮止めした連結ブラケット３０を縦枠６に係合させた後に取付ネジ３３を締付けてなるものが好ましい。
【００２４】
本例の間仕切パネル２は、横枠７の前後幅寸法を縦枠６の前後幅寸法より小さく設定しており、キャビネット３をパネル前面に位置させた連結状態においてキャビネット背面は前記連結ブラケット３０を介して縦枠６前方の側縁に当接しており、キャビネットの背面とブロックパネル８及び横枠７との間にはコード類やケーブル類を上下に挿通可能な配線空間が維持されている。尚、外観上の影響がないキャビネット背面に臨む側のブロックパネル８は省略することも好ましい。
【００２５】
このように左右両端に連結されたキャビネット３、３の間には、間仕切パネル幅の整数倍の幅を有する収納空間Ｓが形成され、本例では図１に示すように、左右両端を除く三枚の間仕切パネルの合計幅、即ち間仕切パネル幅の三倍の幅を有している。この収納空間Ｓの幅は、左右に連結する間仕切パネルの数を増減することにより、格納する移動式家具の数や部屋の幅に応じて容易に変更でき、格納台数の変更や部屋のレイアウト変更に柔軟に対応できるのである。
【００２６】
尚、本例の如く収納空間Ｓを臨む間仕切パネルが複数の場合、これら複数の間仕切パネルのうち左右のキャビネット３に隣接する両端のパネルを除く途中部の間仕切パネル、本例では三枚のうち中央の間仕切パネル２の前面に同じく同一幅のキャビネットを連結し、該キャビネットを挟んで収納空間Ｓを二つ以上に分割することも好ましい実施例である。
また、本例では同一の寸法モジュールの間仕切パネルを用いることで収納空間Ｓの幅をその整数倍としたが、本発明はこれに特に限定されず、各間仕切パネルを互いに異なる寸法としてもよく、左右両端のキャビネットが連結される間仕切パネルも、各キャビネットと略同一幅であれば互いに異なる幅のパネルであってよい。更に、間仕切パネルの高さも自由に設定することが可能である。
【００２７】
前記移動式家具４は、底部にキャスターを備え、営業等の特定の固定席を持たないワーカーの物品収納部を備えた各個人専用の家具であり、本例では上段収納部にシャッター式の扉を備えたワゴンであるが、それ以外の形態のワゴン、カート等の種々の移動式家具を採用でき、その寸法は前記収納空間Ｓに格納できるものであれば特に限定されない。図４は上面にキャビネット３と略同一高さの天板４０を備えたワゴン（４）を格納した組合せ家具１０を示しており、これにより各天板４０とキャビネット３上面の天板３４を連続したカウンターテーブルとして有効利用することが可能となる。
【００２８】
前記収納空間Ｓへ格納された各移動式家具４は、その背面に対応する間仕切パネル２の前面側に係止され、安定保持される。当該係止手段として、本例では、図８に示すように移動式家具４の背面４２側に前記間仕切パネル２の横枠７側面の蟻溝状の係止溝７２に係合する係止片４３がキックバネ４４により上方に付勢された状態で枢支されており、該係止片４３の基端部には移動式家具上面４１に突出するレバー４５が設けられている。そして、当該移動式家具４を間仕切パネル２の前面に当着させて格納した際には、自動的に前記係止片４３が前記係止溝７２の上部に係合し、該移動式家具を取出す際には、該レバーを後方に押して係止片４３を下方に回動させ、係止状態を解除しつつ引き出すことになる。
尚、移動式家具４は互いに異なる寸法、形状、種類のものを格納することも可能であり、前記収納空間Ｓに格納した状態において互いに多少の隙間を有することが好ましい。
【００２９】
移動式家具４、・・・を格納した本実施形態の組合せ家具１０は、主に間仕切パネル２後面側の通路と部屋とを仕切る家具として機能するが、部屋を仕切る家具として機能させることも当然に可能である。
尚、左右のキャビネット３の側方には、更にキャビネット３と略同一高さを有する平面視略扇形のオープン棚型キャビネット９が配置されている。
【００３０】
次に、図９に基づき本発明の第２実施形態を説明する。
【００３１】
本実施形態は、間仕切パネル２、・・・の後面側に、同じく移動式家具を格納するための収納空間を形成したものであり、両端に位置する各間仕切パネルの後面側にも、同様に略同一幅のキャビネット３がそれぞれ着脱可能に連結されている。前記キャビネット３の連結は、上記第１実施形態と同様、図７に示した連結ブラケット３０が用いられるが、そもそも当該連結は間仕切パネル２をキャビネット３により支持するためのものであり、パネルの前後にキャビネット３、３が配置される本例においては当該間仕切パネル２と各キャビネット３との連結は必須要件ではなく、従って前記連結ブラケット３０を用いることなく、単に前後のキャビネットをその背面間で間仕切パネル２を挟持するよう配置してなるものも好ましい実施例である。
【００３２】
このように間仕切パネル２、・・・の前後両側に格納用の収納空間を形成し、両側に移動式家具４、・・・を配置可能としたので、当該組合せ家具１０Ａは部屋を２分割する間仕切家具として有効に機能し、各部屋で移動式家具４の出し入れを効率よく行うことができ、間仕切パネル２を挟んで前後に配置されるキャビネット３、３の外側方には双方の側端部に連続して半円状のエンドテーブル９０が配置されている。
尚、前後のキャビネット３、３で挟まれた間仕切パネル２の当該挾持空間に位置するブロックパネルは外観されないことから省略することがコスト上も望ましい。
【００３３】
次に、図１０に基づき本発明の第３実施形態を説明する。
【００３４】
本実施形態は、図１０（ａ）に示すように、一端に位置する間仕切パネル２の前面に当該間仕切パネルと略同一幅のキャビネット３を着脱可能に連結するとともに、他端に位置する間仕切パネル２の側端部に、エンド間仕切パネル２０を当該間仕切パネル２と直交して前方に突出するように連結し、これらキャビネット３及びエンド間仕切パネル２０の間に収納空間を形成してなり、該空間にワゴン、カート等の移動式家具４、・・・を格納可能としたものである。
【００３５】
このように収納空間を形成する一端側をエンド間仕切パネル２０で構成することにより間仕切パネル２を少なくとも二枚連結すれば当該格納用家具１Ｂを構成することができる。
また、上記第２実施形態と同様、図１０（ｂ）に示すように間仕切パネル２の前後両側にキャビネット３とエンド間仕切パネル２０で構成する収納空間を形成することも好ましい実施例である。このように前後両側に収納空間を形成する場合、一方をキャビネットとエンド間仕切パネルで収納空間を形成し、他方を左右一対のキャビネット間に収納空間を形成してなるものも可能である。
【００３６】
【発明の効果】
以上のように、本発明によれば、キャビネット間の収納空間にワゴン、カート等の移動式家具を違和感なく集中的に格納できるとともに、左右に連結する間仕切パネルの数を増減するだけで前記収納空間を自在に拡縮できるので、人員の増減、すなわち移動式家具の増減や、オフィス内のレイアウト変更等にも容易且つ柔軟に対応できることとなる。
【００３７】
また、左右に連結された間仕切パネルの後面側に、同じく移動式家具を格納するための収納空間を形成したので、部屋を２分割する間仕切家具として有効に機能し、各部屋で移動式家具の出し入れを効率よく行うことができる。
【００３８】
また、一端に位置する間仕切パネルの前面に当該間仕切パネルと略同一幅のキャビネットを着脱可能に連結するとともに、他端に位置する間仕切パネルの側端部に、エンド間仕切パネルを当該間仕切パネルと直交して前方に突出するように連結し、これらキャビネット及びエンド間仕切パネルの間に収納空間を形成したので、両端にキャビネットを設けたものに比べて全幅を小さくでき、小さなオフィスにも対応できるとともに、間仕切パネルは少なくとも二枚連結すれば当該格納用家具を構成することができる。
【００３９】
また、間仕切パネルに移動式家具の背面を固定するための係止手段を設けたので、格納された各移動式家具は安定保持される。
【図面の簡単な説明】
【図１】本発明の第１実施形態に係る格納用家具を示す斜視図。
【図２】同じく格納用家具に移動式家具を格納してなる組合せ家具を示す斜視図。
【図３】同じく組合せ家具の平面図。
【図４】キャビネットと略同一高さの天板を備えたワゴンを収納した組合せ家具を示す斜視図。
【図５】間仕切パネル同士の連結構造の要部を示す部分斜視図。
【図６】間仕切パネルの前面に装着された棚を示す部分断面図。
【図７】間仕切パネルとキャビネットの連結構造の要部を示す部分斜視図。
【図８】移動式家具を間仕切パネルの前面側に保持するための係止手段を示す部分断面図。
【図９】本発明の第２実施形態を示す平面図。
【図１０】（ａ）及び（ｂ）は、本発明の第３実施形態を示す平面図。
【符号の説明】
Ｓ  収納空間
１、１Ａ、１Ｂ、１Ｃ  格納用家具
２  間仕切パネル
３  キャビネット
４  移動式家具
５  棚
６  縦枠
７  横枠
８  ブロックパネル
８ａ  側端
９  キャビネット
１０、１０Ａ、１０Ｂ、１０Ｃ  組合せ家具
２０  エンド間仕切パネル
３０  連結ブラケット
３１  ネジ孔
３２  係止爪
３３  取付ネジ
３４  天板
４０  天板
４１  上面
４２  背面
４３  係止片
４４  キックバネ
４５  レバー
５０  棚板
５１  ブラケット
５１ａ  係止爪
５２  カバー
６０  連結溝
６１  アンカー部材
６２  締付部材
６３  締付ネジ
６４  係止孔
６５  連結具
６６  係止部
７０  係合溝
７１  ネジ溝
７２  係止溝
８０  横枠部材
８１  受入部
８２  係止片
８３  ネジ孔
９０  エンドテーブル
【図１】
2004173738.tif 000003
【図２】
2004173738.tif 000004
【図３】
2004173738.tif 000005
【図４】
2004173738.tif 000006
【図５】
2004173738.tif 000007
【図６】
2004173738.tif 000008
【図７】
2004173738.tif 000009
【図８】
2004173738.tif 000010
【図９】
2004173738.tif 000011
【図１０】
2004173738.tif 000012